(57)【要約】アップライト型掃除機の吸入ホース設置構造が開示される。設置構造は、前記吸入ホースの両端がねじ山形状の波形管で形成される装着部と、一端が前記装着部の一方に対して固定されるパイプ状の連結部と、前記連結部が係止及び固定されて、前記連結部の軸方向移動を制限し、円周方向の回転のみを許容し、外側には固定突起が突出形成されるアダプタと、前記アダプタが挿入固定される収容部とで構成される。本発明によれば、掃除作業の際、吸入ホースが３６０゜回転構造を有することで、ねじれ現像が防止されるので、掃除作業の便利性を提供し、美麗な外観を提供する。【選択図】なし
2009504234.tif 000002
【特許請求の範囲】
【請求項１】
吸入モジュールが設けられた掃除機本体と、塵埃や異物を吸入するための集塵部と、ハンドルとを有し、吸入ホースの一端が前記掃除機本体に連結され、他端が前記集塵部に連結されるアップライト型掃除機の吸入ホースの設置構造であって、
前記吸入ホースの両端に、ねじ山形状の波形管の形状で形成される装着部と、
一端が前記装着部の一方に固定されるパイプ状の連結部と、
外側表面には固定突起が突出形成されるとともに、前記連結部の軸方向の移動を制限し円周方向の回転のみを許容するように前記連結部が係止及び固定されるアダプタと、
前記アダプタが挿入固定される収容部と、を有することを特徴とするアップライト型掃除機の吸入ホース設置構造。
【請求項２】
前記装着部が前記連結部の一端に固定されるように、前記連結部の一端の内側にねじ山が形成されることを特徴とする請求項１に記載のアップライト型掃除機の吸入ホース設置構造。
【請求項３】
前記連結部の外側には円周方向に係止溝が形成され、前記係止溝に挿入装着される係止突起が前記アダプタの内側に形成されることを特徴とする請求項１に記載のアップライト型掃除機の吸入ホース設置構造。
【請求項４】
前記収容部は、前記収容部の装着孔に前記固定突起の挿入を案内するよう、じょうご状に傾く溝形状の案内部を有することを特徴とする請求項１に記載のアップライト型掃除機の吸入ホース設置構造。
【請求項５】
前記ハンドルに形成された装着孔には、円弧状のガイド孔が前記装着孔と連通して形成されることを特徴とする請求項１に記載のアップライト型掃除機の吸入ホース設置構造。
【発明の詳細な説明】
【技術分野】
【０００１】
本発明は、掃除機に関し、さらに詳細には、掃除機の吸入ホースがねじれ力を受けた時に掃除機から分離せずに回転してねじれ力を解消するように設置される、アップライト型掃除機とキャニスタ型掃除機の両方に適用可能なアップライト型掃除機の吸入ホース設置構造に関する。
【背景技術】
【０００２】
一般に、室内で家具、床、またはカーペットなどに積もる塵埃やその他の異物を容易に除去するために、様々なモデルの真空掃除機が使用される。
【０００３】
真空掃除機とは、内部に設けられる集塵モータの吸入力を用いて、塵埃や異物を吸入及び除去するものであり、キャニスタ型（ｃａｎｉｓｔｅｒ  ｔｙｐｅ）とアップライト型（ｕｐｒｉｇｈｔ  ｔｙｐｅ）とに区分される。
【０００４】
キャニスタ型真空掃除機は、車輪上に装着された本体と、塵埃やその他の異物を本体内に吸入するための吸入ホースと、本体内に配置される吸入ファンのような吸入力発生手段と、吸入力発生手段を駆動するための本体内に配置されるモータと、本体内に吸入された空気から塵埃やその他の異物をフィルタリングするための本体内に配置される交替可能な集塵容器と、吸入ホースの自由端部に配置されるメインブラシと吸入ノズルとを有する。
アップライト型真空掃除機は、キャニスタ型真空掃除機と同じように構成され、掃除しようとする対象物から塵埃やその他の異物を吸収する吸入ブラシが真空掃除機の本体の下に位置する。
【０００５】
図１は、従来のアップライト型掃除機の斜視図である。
【０００６】
図１を参照すると、アップライト型掃除機は、垂直に立つ本体１１と、本体１１の下端に水平に設けられ、被掃除面に沿って移動可能な吸入ブラシ１２と前記本体１１の上端に連結されるハンドル１３とで構成される。
【０００７】
前記掃除機本体１１の内側上部には、塵フィルタが着脱可能に設けられる集塵室が備えられ、下部には、駆動源であるモータが設けられるモータ駆動室が備えられる。
【０００８】
上記のようなアップライト型掃除機は、一般的に大きい吸入量を持ち、主にカーペット、床などを掃除する用途に使用される。
【０００９】
前記アップライト型掃除機の他の用途を実現するために、家具用ブラシ１５、隙間用パイプ１６などが、本体１１の後面に装着される。もし使用者がアップライト型掃除機から吸入ホース１４の一端を分離し、吸入ホース１４上に家具用ブラシ１５や隙間用パイプ１６を装着すると、床だけでなく、家具や天井も掃除できる。
【００１０】
上記のように構成される一般的なアップライト型真空掃除機は、モータが駆動されると、吸入ブラシ１２に強い吸入力が発生し、該吸入力により、被掃除面に存在する塵埃及び各種汚物を含む空気が吸入ブラシ１２を介して掃除機本体１１に吸入される。吸入された空気は、掃除機本体１１の集塵室に設けられた塵フィルタを経由して、モータ駆動室側に排出される。
【００１１】
通常、掃除機をアップライト型として使用する場合には、吸入ホース１４が吸入ブラシ１２の吸入口と連結され、キャニスタ型として使用される場合には、吸入ホース１４の一端がハンドルと連結される。
【００１２】
近来にはこのようなアップライト型掃除機とキャニスタ型掃除機とを共用する製品が考案されている。しかしながら、キャニスタ型掃除機として動作する場合、使用者が吸入ホース14が連結されたハンドルを把持して掃除するとき、吸入ホース14の両端が固定されているため、吸入ホース14がねじれてしまい、それによって使用者の手首に負担がかかり、掃除の作業効率も低下する。
【００１３】
さらに、吸入ホース14の装着において、両端部の結合構造が相違するため、製品を組立てるたびに、方向を合わせて正確に位置合わせしなければならないため、組み立ての効率が低下する。従って、この問題を解決する改良された掃除機が必要とされている。
【発明の開示】
【発明が解決しようとする課題】
【００１４】
本発明は、掃除機を用いた掃除作業の際に吸入ホースのねじれにより使用者の手首に負担がかかるとともに好ましくない外観をもたらすという、従来の電気掃除機の問題に鑑みてなされたものであり、本発明の目的はこの問題を解決することのできるアップライト型の掃除機の吸引ホースの設置構造を提供するものである。
【００１５】
また、本発明の他の目的は、吸入ホースを容易に装着できるアップライト型掃除機の吸入ホースの設置構造を提供することにある。
【課題を解決するための手段】
【００１６】
上記の目的を達成すべく、本発明は、吸入モジュールが設けられた真空掃除機本体と、塵埃や異物を吸入するための集塵部と、ハンドルとを有するアップライト型掃除機の吸引ホースの設置構造であって、吸入ホースは、一端が前記本体と連結され、他端が前記集塵部に連結され、前記吸入ホースの両端がねじ山形状の波形管で形成される装着部と、一端が前記装着部の一方に固定されるパイプ状の連結部と、前記連結部の軸方向移動を制限し、円周方向の回転のみを許容するように前記連結部が係止及び固定され、外側表面に固定突起が突出形成されるアダプタと、前記アダプタが挿入固定される収容部とを有することを特徴とする。
【００１７】
好ましくは、前記連結部の一端の内側にねじ山が形成されることで、前記装着部が前記連結部の前記一端に締結される。
【００１８】
好ましくは、前記連結部の外側面には円周方向に係止溝が形成され、前記係止溝に挿入装着される係止突起が前記アダプタ内側に形成される。
【００１９】
好ましくは、前記収容部は、前記収容部の装着孔に前記固定突起の挿入を案内するよう、じょうご状に傾く溝形状の案内部を有する。
【００２０】
さらに、前記ハンドルに形成された装着孔には、円弧状のガイド孔が前記装着孔と連通して形成される。
【００２１】
本発明によれば、掃除作業の際、吸入ホースが３６０゜回転する構造を有することで、ねじれ現象が防止されるので、掃除作業の便利性を提供し、美麗な外観を提供する。
【発明の効果】
【００２２】
本発明によるアップライト型掃除機の吸入ホース設置構造によれば、掃除作業の際、吸入ホースがねじれることを防止して、掃除作業をする使用者の手首に負担がかからないようにし、ねじれ現象が発生しない吸入ホースを提供することで、美麗な外観を提供する効果が得られる。
【００２３】
また、前記吸入ホースの両端に、ハンドル収容部、ブラシ収容部及び本体収容部と連結可能なアダプタが装着されることから、吸入ホースが関連する部品に対して組み立てられる際に、吸入ホースの方向性を考慮しなくてもいいので、吸入ホースを簡便に組み立てることができる。
【００２４】
さらに、アップライト型をキャニスタ型に転換して使用する場合、前記ハンドル収容部に円弧状のガイド孔を形成することで、掃除作業の際、前記ハンドルから吸入ホースが自然的に離脱することを防止するので、吸入ホースのハンドルに対する堅固な装着状態を提供するという効果が得られる。
【発明を実施するための最良の形態】
【００２５】
以下、添付図面に基づき、本発明の好ましい実施の形態を説明する。
【００２６】
図２は、本発明の実施の形態によるアップライト型掃除機の吸入ホース設置構造が適用された掃除機の斜視図であり、図３は、図２の側面図であり、図４は、本発明の実施の形態によるアップライト型掃除機の吸入ホース設置構造を示す斜視図であり、図５は、図４の側面図であり、図６は、図４に示す吸入ホースの設置構造の組み立てられた状態を示す側断面図であり、図７は、掃除機をキャニスタ型として使用する際の本発明の実施の形態による吸入ホースの設置状態を示す図であり、図８は、本発明の実施の形態による吸入ホースが本体収容部に結合される前の状態を示す図であり、図９は、本発明の実施の形態による吸入ホースが本体収容部に結合された後の状態を示す図である。
【００２７】
図２及び図３に示すように、アップライト型掃除機は、本体２０と、本体２０の下側に着脱可能に設けられる吸入ブラシ２２（集塵部）と、前記本体２０の内側に配置されるモータを含む吸入モジュールとから構成される。
【００２８】
前記本体２０を部屋の床に横たえた状態で掃除機が使用できるように、補助車輪２４が設けられており、前記吸入ブラシ２２には、掃除の際に使用される主車輪２６が設けられている。
【００２９】
前記本体２０には、吸入管２９と連結された掃除機のハンドル２７が着脱可能に装着されている。
【００３０】
掃除機はさらに、一端が本体２０に対して連結され、他端が本体２０の下側に配置される吸入ブラシ２２か、吸入管２９に連結されたハンドル２７のいずれかに連結される吸入ホース３０を有する。
【００３１】
以下、前記吸入ホース３０の設置構造を、図４〜図６を参照して説明する。自由に曲がる吸入ホース３０の両端には、ねじ山形状の波形管が形成された装着部３２が設けられる。
吸入ホース３０には、前記装着部３２がその内側で固定されるように、一端の内側面に形成されたねじ山形状の締結部４４と、他端の外側面の円周方向に形成された係止溝４２とを有するパイプ状の連結部４０が備えられる。
【００３２】
吸入ホース３０にはさらに、前記連結部４０が円周方向には自由に回転できるが、軸方向に移動して構成部材から離脱することを防止するように、前記連結部４０の係止溝４２に挿入装着するための係止突起５４が内側に形成され、固定突起５２が外側に突出形成されたアダプタ５０が備えられる。この構造によって、前記吸入ホース３０の装着部３２、連結部４０、及びアダプタ５０が順番に組み立てられる。
【００３３】
本設置構造はさらに、アダプタ５０が挿入されて固定されるパイプ形状の収容部を備える。この収容部は、空気の流路を形成し、前記アダプタ５０の固定突起５２の挿入を案内するために、じょうご状に傾く溝形状の案内部７０が側面５８の両側に各々形成された、収容孔５６を有する。
【００３４】
吸入ブラシ２２に形成されたブラシ収容部６２と、ハンドル２７に形成されたハンドル収容部６０と、本体２０に形成された本体収容部６４は、上述した本願発明による設置構造の収容部を構成する。
【００３５】
本発明の実施形態においては、前記ブラシ収容部６２には、吸入空気の流出を防止するために、前記固定突起５２が挿入装着されるための装着孔を形成していないが、これに限定されるものではなく、必要によって、前記ブラシ収容部６２に装着孔を追加形成することも、本発明の他の実施の形態に含まれる。
【００３６】
そして、収容部のうち、前記ハンドル２７に設けられるハンドル収容部６０には、装着孔７２と連通する、円弧状のガイド孔７４が両側に備えられる。
【００３７】
前記ハンドル収容部６０には、前記固定突起５２の装着孔７２への挿入を案内するために、溝形状の案内部７１が両側に形成される。
【００３８】
前記アップライト型掃除機をキャニスタ型に変換して使用する場合には、図７に示すように、吸入管２９と連結されたハンドル２７と吸入ブラシ２２とを本体２０から分離した後、前記吸入管２９の下側に別途に備えられたヘッド２８を連結して使用する。
【００３９】
図８及び図９に示すように、ハンドル２７と、前記ハンドル２７に連結された吸入管２９と、吸入管２９を固定するためのブラケットが分離されると、吸入ホース３０の一端が固定されるための本体収容部６４が本体２０の後ろ側に現れる。
【００４０】
前記本体収容部６４は、前記吸入ホース３０に連結されたアダプタ５０が挿入されるように、円筒パイプ状に形成され、前記アダプタ５０の固定突起５２の挿入を案内するために、じょうご状に傾く溝形状の案内部が内側面に形成される。
【００４１】
そして、境界孔８２を形成するために、前記案内部の境界に対応するように左右部分が切開され、前記境界孔８２により切開された案内部の残りの部分に、加圧片８０が形成される。
【００４２】
加圧片８０の下端には、前記固定突起５２が装着されるための装着孔７３が形成される。
【００４３】
以下、上記のような構成を有する本発明の実施の形態によるアップライト型掃除機の吸入ホース設置構造の作用を説明する。
【００４４】
図４〜図６に示すように、吸入ホース３０の装着部３２は、接着剤が塗布された状態で、前記連結部４０の内側の締結部４４にねじ締結方式で結合され、接着剤により固定される。
【００４５】
そして、前記連結部４０の係止溝４２にアダプタ５０の係止突起５４が弾性的に締結されることで、連結部４０は前記アダプタ５０に対して回転を許容されるが、離脱することが防止される。
【００４６】
以下、前記アダプタ５０が収容部に締結される過程を図面を参照して説明する。
【００４７】
図２及び図３に示すように、アダプタ５０をブラシ収容部６２に挿入する際には、アダプタ５０の固定突起５２は、ブラシ収容部６２の案内部７０に沿って挿入され、前記アダプタ５０の外径よりブラシ収容部６２の内径が若干小さいので、強制嵌合により相互結合される。
【００４８】
そして、前記ブラシ収容部６２に空気の漏洩を防止するシーリング構造を追加すれば、前記固定突起５２を収容するための装着孔をブラシ収容部６２に設けることもできるので、前記固定突起５２は、案内部５２により案内され、装着孔に挿入固定される。
【００４９】
以下、前記吸入ホース３０のアダプタ５０がハンドル収容部６０に装着される過程を説明する。
【００５０】
前記アダプタ５０の固定突起５２がハンドル収容部６０の案内部７１によりガイドされて装着孔７２に挿入された後、前記装着孔７２と連通するガイド孔７４へ回転させることで、掃除動作の際にハンドル収容部６０からアダプタ５０が離脱することを防止できる。
【００５１】
一方、前記吸入ホース３０のアダプタ５０が本体収容部６４に装着される過程を図８及び図９を参照して説明する。
【００５２】
アダプタ５０が本体収容部６４に挿入されると、アダプタ５０の固定突起５２が弾性的に曲がる加圧片８０を外側に押し出しながら、装着孔７３に挿入固定される。
【００５３】
前記固定突起５２が、図９に示すように、装着孔７３に挿入された状態において、加圧片８０が元の状態に復帰し、前記固定突起５２が本体収容部６４から離脱することを防止する。
【００５４】
従って、本体収容部６４に吸入ホース３０の一端が固定された状態で、掃除機をアップライト型として使用する場合、図２及び図３に示すように、ブラシ収容部６２に吸入ホース３０のアダプタ５０を挿入装着して使用する。
【００５５】
そして、前記アップライト型掃除機をキャニスタ型に転換して使用する場合、図７に示すように、本体収容部６４に挿入された吸入ホース３０は装着状態を維持し、ブラシ収容部６２に挿入装着されたアダプタ５０を外側に引っ張って取り外した後、前記ハンドル２７に形成されたハンドル収容部６０のガイド孔７４にアダプタの固定突起５２が挿入されるように、アダプタ５０をハンドル２７のハンドル収容部６０に挿入する。
【００５６】
もし、前記ハンドル収容部６０に装着孔７２のみが形成される場合、前記ハンドル収容部６０の案内部７１に沿って挿入された固定突起５２は、キャニスタ型として掃除するとき、ハンドル２７の前後移動により、案内部７１に沿って外側に移動し、ハンドル収容部６０から自然的に離脱するおそれがある。
【００５７】
それを防止するために、ハンドル収容部６０に装着孔７２と連通する円弧状のガイド孔７４を形成することで、前記案内部７１に沿ってハンドル収容部６０に挿入された固定突起５２は、前記ガイド孔７４に沿って移動するので、比較的に離脱しやすい案内部７１の入口部分に固定突起５２が位置する確率を下げ、掃除の際、前記吸入ホース３０が前記ハンドル収容部６０から離脱することを防止する。
【００５８】
前記ハンドル収容部６０のガイド孔７４の構造を除いて、前記本体収容部６４と、ブラシ収容部６２と、ハンドル収容部６０の構造は類似するので、方向を考慮せずに吸入ホース３０のアダプタ５０を収容部に挿入装着でき、組み立て効率が向上する。
【００５９】
そして、前記吸入ホース３０の両端は、３６０゜回転可能な状態で設置されるので、前記吸入ホース３０に対してねじれる力が与えられる場合、その力が回転力として作用して吸入ホース３０が円滑に回転し、吸入ホース３０のねじれが自動的に解けるようになる。
【００６０】
上述した本発明の好ましい実施の形態は、例示の目的のために開示されたものであり、本発明の属する技術の分野における通常の知識を有する者であれば、本発明の技術的思想を逸脱しない範囲内で、様々な置換、変形、及び変更が可能であり、このような置換、変更などは、特許請求の範囲に属するものである。
【図面の簡単な説明】
【００６１】
【図１】従来のアップライト型掃除機の斜視図。
【図２】本発明の実施の形態によるアップライト型掃除機の吸入ホース設置構造が適用された掃除機の斜視図。
【図３】図２の側面図である。
【図４】本発明の実施の形態による、アップライト型掃除機の吸入ホース設置構造を示す斜視図。
【図５】図４の側面図。
【図６】図４に示した吸引ホースの設置構造が組み立てられた状態を示す側断面図
【図７】本発明の実施の形態による、掃除機をキャニスタ型として使用するときの吸入ホースの設置状態を示す図。
【図８】本発明の実施の形態による、本体収容部に吸入ホースが結合される前の状態を示す図。
【図９】本発明の実施の形態による、本体収容部に吸入ホースが結合された後の状態を示す図。
【図１】
2009504234.tif 000003
【図２】
2009504234.tif 000004
【図３】
2009504234.tif 000005
【図４】
2009504234.tif 000006
【図５】
2009504234.tif 000007
【図６】
2009504234.tif 000008
【図７】
2009504234.tif 000009
【図８】
2009504234.tif 000010
【図９】
2009504234.tif 000011
【国際調査報告】
2009504234.tif 000012
2009504234.tif 000013